(57)【要約】      （修正有）【課題】不体裁な歯の表面に装飾歯を嵌め込むことにより被覆し、外観体裁を良好なものにすることにある。【解決手段】口腔内の歯列にあって、隣合う正常歯よりも後退している後退歯の前面に嵌め込み装着される装飾歯であって、内面を前記後退歯の前面及び両側面、両側外面を両隣の正常歯の側面に、夫々対応して型どり、且つ前面を、両隣の正常歯の前面とほぼ面一とさせたことを特徴とする構成であり、隣合う正常歯との間に間隙が形成されている場合には、この中間歯の前面に両隣の正常歯の前面とほぼ面一に装着し、一部に汚れが形成されている場合、一部が欠けている欠損歯の場合には、この汚染歯や欠損歯の前面に両隣の正常歯の前面とほぼ面一に装着し、一部に、装飾石・装飾金属を嵌め込んでも良い。【選択図】図１
2006158821.tif 000002
【特許請求の範囲】
【請求項１】
口腔内の歯列にあって、隣合う正常歯よりも後退している後退歯の前面に嵌め込み装着される装飾歯であって、内面を、前記後退歯の前面及び両側面、両側外面を両隣の正常歯の側面に、夫々対応して型どり、且つ前面を、両隣の正常歯の前面とほぼ面一とさせたことを特徴とする装飾歯。
【請求項２】
口腔内の歯列にあって、隣合う正常歯との間に間隙が形成されている中間歯の前面に嵌め込み装着される装飾歯であって、内面を、前記中間歯の前面及び両側面、両側外面を両隣の正常歯の側面に、夫々対応して型どり、且つ前面を、両隣の正常歯の前面とほぼ面一とさせたことを特徴とする装飾歯。
【請求項３】
口腔内の歯列にあって、一部に汚れが形成されている汚染歯の前面に嵌め込み装着される装飾歯であって、内面を、前記汚染歯の前面に対応して型どり、且つ前面を、両隣の正常歯の前面とほぼ面一とさせたことを特徴とする装飾歯。
【請求項４】
口腔内の歯列にあって、一部が欠けている欠損歯の前面に嵌め込み装着される装飾歯であって、内面を、前記欠損歯の前面及び両側面、両側外面を両隣の正常歯の側面に、夫々対応して型どり、且つ前面を、両隣の正常歯の前面とほぼ面一とさせたことを特徴とする装飾歯。
【請求項５】
一部に、装飾石・装飾金属を嵌め込んだことを特徴とする請求項１、２、３、４に記載の装飾歯。
【発明の詳細な説明】
【技術分野】
【０００１】
本発明は、口腔内の不体裁な歯自体や歯列を被覆する装飾歯に関する。
【背景技術】
【０００２】
口腔内の歯は、幼児からの成長過程で歯列が不規則になり、所謂乱杭歯となることがある。この乱杭歯は、咬合に支障を来して摂食に不都合であるばかりでなく、隙間に食べ滓が詰まって虫歯の原因になり、或いは肩凝り等の肉体的障害となるものであるが、会話時の発音上の弊害ともなり、更には美的体裁が悪いことからの審美的コンプレックスといった精神的弊害をも生じさせている。
【０００３】
この問題を解決するため、例えば矯正の如き歯科医療が広く行われている。
【特許文献１】特許第３４０４５５０号公報
【発明の開示】
【発明が解決しようとする課題】
【０００４】
しかしながら歯科医療では、例えばホワイトニングと称される白色化は、経時によって褪せてきたり、繰り返しの施術によって歯の表面を傷める虞れがあり、差し歯は、健丈歯を削ったり、場合によっては神経を抜くといった苦痛と手間と費用がかかり、更に矯正は、必要に応じて健康な正常歯を抜いたり削ったりするだけでなく、更にはそれに加えて長期間にわたってワイヤー等で固定しなければならないものであるから、苦痛が伴い、食事が不自由であり、外観の不体裁が継続し、ワイヤー部分で虫歯になり易く、費用も莫大なものになっている。
【０００５】
上記した摂食の不都合等の肉体的障害や外観上の不体裁の点では、更に例えば、歯と歯の間に隙間が形成されていたり、物理的に除去できない汚れが形成されているような場合でも同様である。
【０００６】
また、歯列の一部が後退していたり隙間や欠けていたりすると、口を閉じた状態でいてもその窪み部分の口唇や口周が窪んで皺になり、老けた顔つきになってしまう問題もある。
【０００７】
よって本発明は、上記従来の欠点不都合を解消するべく開発されたものであって、不体裁な歯の表面に装飾歯を嵌め込むことにより被覆し、外観体裁を良好なものにすることを目的とする。
【課題を解決するための手段】
【０００８】
上記課題を解決するため本発明の装飾歯は、口腔内の歯列にあって、隣合う正常歯よりも後退している後退歯の前面に嵌め込み装着される装飾歯であって、内面を、前記した後退歯の前面及び両側面、両側外面を両隣の正常歯の側面に、夫々対応して型どり、且つ前面を、両隣の正常歯の前面とほぼ面一とさせたことを特徴とする。
【０００９】
或いは、口腔内の歯列にあって、隣合う正常歯との間に間隙が形成されている中間歯の前面に嵌め込み装着される装飾歯であって、内面を、前記した中間歯の前面及び両側面、両側外面を両隣の正常歯の側面に、夫々対応して型どり、且つ前面を、両隣の正常歯の前面とほぼ面一とさせたことを特徴とする。
【００１０】
また、口腔内の歯列にあって、一部に汚れが形成されている汚染歯の前面に嵌め込み装着される装飾歯であって、内面を、前記した汚染歯の前面に対応して型どり、且つ前面を、両隣の正常歯の前面とほぼ面一とさせたことを特徴とする。
【００１１】
更には、口腔内の歯列にあって、一部が欠けている欠損歯の前面に嵌め込み装着される装飾歯であって、内面を、前記した欠損歯の前面及び両側面、両側外面を両隣の正常歯の側面に、夫々対応して型どり、且つ前面を、両隣の正常歯の前面とほぼ面一とさせたことを特徴とする。
【００１２】
そして、上記構成の装飾歯にあって、一部に、装飾石・装飾金属を嵌め込んだことを特徴とする。
【発明の効果】
【００１３】
よって口腔内の歯列にあって、隣合う正常歯よりも後退している後退歯のある場合、本発明の装飾歯の内面を、後退歯の前面及び両側面に対応させ、且つ前面を、両隣の正常歯の前面とほぼ面一となるようにして、後退歯の前面に嵌め込み装着すれば、隣合う正常歯の間に位置する後退歯の前面に形成されていた窪みがこの装飾歯によって埋設されることになるので、歯列前面が揃った美麗な外観体裁を得ることができる。
【００１４】
或いは、口腔内の歯列にあって、隣合う正常歯との間に間隙が形成されている中間歯のある場合、本発明の装飾歯の内面を、中間歯の前面及び両側面に対応させ、且つ前面を、両隣の正常歯の前面とほぼ面一となるようにして、中間歯の前面に嵌め込み装着すれば、隣合う正常歯との間に形成されていた窪みがこの装飾歯によって埋設されることになるので、歯列前面が揃った美麗な外観体裁を得ることができる。
【００１５】
また、口腔内の歯列にあって、一部に汚れが形成されている汚染歯のある場合、本発明の装飾歯の内面を、汚染歯の前面に対応させ、且つ前面を、両隣の正常歯の前面とほぼ面一となるように汚染歯の前面に嵌め込み装着すれば、この装飾歯によって汚染歯が被覆されることになるので、歯列前面が揃った美麗な外観体裁を得ることができる。
【００１６】
更には、口腔内の歯列にあって、一部が欠けている欠損歯のある場合、本発明の装飾歯の内面を、欠損歯の前面及び両側面に対応させ、且つ前面を、両隣の正常歯の前面とほぼ面一となるように欠損歯の前面に嵌め込み装着すれば、隣合う正常歯との間に形成されていた窪みがこの装飾歯によって埋設されることになるので、歯列前面が揃った美麗な外観体裁を得ることができる。
【００１７】
そして、装飾歯の一部に、装飾石・装飾金属を嵌め込めば、美麗なお洒落装飾を楽しむことができる。
【００１８】
上記した各装飾歯は、不体裁な歯の表面に単に嵌め込んで装着するだけであり、不体裁ではあるものの正常である歯を削ったり抜いたり、その神経を抜いたりする歯科的な医療施術を施すものではないから、第一義的に健丈歯を傷めることがなく、苦痛も全く伴わず、短期間での処置で済み、費用も最低限に抑えることができる等、多くの優れた作用効果を奏するものである。
【発明を実施するための最良の形態】
【００１９】
本発明に於ける装飾歯１は、例えばレジンと称される硬質合成樹脂を材料として使用し、隣合う正常歯Ａよりも後退している後退歯Ｂに装着する場合は、装飾歯１の肉厚を後退歯Ｂの後退幅とほぼ同一にして、装着した際の前面が両隣の正常歯Ａの前面とほぼ面一となるように成形する。図１ａは後退歯Ｂが隣合う正常歯Ａよりも後退している状態を示し、図１ｂは後退歯Ｂに本発明の装飾歯１を被せた状態を示し、図１ｃはその部分平面である。
【００２０】
或いは、隣合う正常歯Ａとの間に間隙が形成されている中間歯Ｃに装着する場合、または、汚染歯（図示省略）に装着する場合、更には欠損歯（図示省略）に装着する場合は、装飾歯１の肉厚を両隣の正常歯Ａの前面とほぼ面一となるように薄くすると共に、左右幅を両隣の正常歯Ａとの間隔にほぼ等しく成形する。図２ａは隣合う正常歯Ａと中間歯Ｃとの間に間隙が形成されている状態を示し、図２ｂは中間歯に本発明の装飾歯１を被せた状態を示し、図２ｃはその部分平面である。
【実施例１】
【００２１】
装飾歯１の成形は、先ず口腔内の上下内外の歯型をとり、この歯型にあって、例えば後退歯に相当する部分の前面に硬質合成樹脂材料を流し込んで形状を整えた後に光重合機により硬化させ、研磨して艶出しをする。
【００２２】
装着は、例えば後退歯Ｂの前面に前面に嵌込むに際して、所定の歯科用の強力接着剤を塗布しておけば良い。
【００２３】
装飾歯の一部に嵌め込む装飾石・装飾金属２は、貴金属であれば高級感が醸し出されるが、通常の色彩豊かな石等であっても良いものである。
【図面の簡単な説明】
【００２４】
【図１】（ａ）は後退歯が隣合う正常歯よりも後退している状態を示す正面図、（ｂ）は後退歯に本発明の装飾歯を被せた状態を示す正面図、（ｃ）は部分平面図である。
【図２】（ａ）は隣合う正常歯と中間歯との間に間隙が形成されている状態を示す正面図、（ｂ）は中間歯に本発明の装飾歯を被せた状態を示す正面図、（ｃ）は部分平面図である。
【図３】装飾歯の一部に装飾石・装飾金属を嵌め込んだ状態の正面図である。
【符号の説明】
【００２５】
１  装飾歯
２  装飾石・装飾金属
Ａ  正常歯
Ｂ  後退歯
Ｃ  中間歯
【図１】
2006158821.tif 000003
【図２】
2006158821.tif 000004
【図３】
2006158821.tif 000005